【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
被写体の光学像を撮像し、画像処理によってリフォーカス範囲内でリフォーカス可能なライトフィールドデータを生成する撮像手段と、
前記被写体の焦点状態を検出し、前記焦点状態の検出の結果に基づいて前記被写体の前記光学像の合焦位置を決定する少なくとも１つの処理手段と、
フォーカスレンズに機械的に接続され、前記フォーカスレンズを駆動する駆動手段と、
前記フォーカスレンズを駆動するように前記駆動手段を制御する制御手段とを備え、
前記撮像手段が複数の画像を撮像して複数の前記ライトフィールドデータを生成する場合に、前記制御手段は、決定された前記合焦位置が各々の前記ライトフィールドデータの各々の前記リフォーカス範囲内となるように前記フォーカスレンズを複数の位置に駆動させるように前記駆動手段を制御することを特徴とする撮像装置。
【請求項２】
前記複数の位置は、前記合焦位置が前記リフォーカス範囲の至近側に位置する第１の位置と、前記合焦位置が前記リフォーカス範囲の無限遠側に位置する第２の位置とを含むことを特徴とする請求項１に記載の撮像装置。
【請求項３】
前記制御手段は、前記撮像手段が前記複数の画像を撮像して前記複数の前記ライトフィールドデータを生成する場合に、前記複数の位置に前記フォーカスレンズを駆動するように前記駆動手段を周期的に制御することを特徴とする請求項１又は２に記載の撮像装置。
【請求項４】
前記制御手段は、前記撮像手段によって生成される前記ライトフィールドデータのフレーム毎に前記フォーカスレンズを前記複数の位置に駆動するように前記駆動手段を制御することを特徴とする請求項３に記載の撮像装置。
【請求項５】
前記少なくとも１つの処理手段は、対象となる前記被写体である対象被写体を設定し、前記対象被写体の前記合焦位置を決定し、
前記少なくとも１つの処理手段は、前記ライトフィールドデータに対応する画像から前記対象被写体を検出し、前記対象被写体の検出の結果に従って前記対象被写体の設定を更新し、
前記少なくとも１つの処理手段は、前記設定が更新された前記対象被写体の前記焦点状態を検出することを特徴とする請求項１乃至４のいずれか１項に記載の撮像装置。
【請求項６】
前記少なくとも１つの処理手段は、前記ライトフィールドデータから像面位置における画像データを再構成する画像処理手段を含み、
前記少なくとも１つの処理手段は、設定された前記被写体を、前記像面位置における前記画像データから検出することを特徴とする請求項１に記載の撮像装置。
【請求項７】
前記画像処理手段は、前記撮像手段によって生成される複数のフレームの前記ライトフィールドデータのうち、複数のパターンのうちの同じパターンの各々のフレームの前記ライトフィールドデータから、少なくとも１つの処理手段によって前記合焦位置が決定された対象被写体とは異なる被写体の合焦位置に対応する像面位置における画像データを再構成し、再構成した複数の前記画像データを補間することによって新たなフレームの画像データを生成することを特徴とする請求項６に記載の撮像装置。
【請求項８】
前記少なくとも１つの処理手段によって決定される前記合焦位置は、被写体距離であることを特徴とする請求項１乃至７のいずれか１項に記載の撮像装置。
【請求項９】
被写体の光学像を撮像し、画像処理によってリフォーカス範囲内でリフォーカス可能なライトフィールドデータを生成する撮像手段を含む撮像装置の制御方法であって、
前記被写体の焦点状態を検出するステップと、
前記焦点状態を検出するステップにおける前記検出の結果に基づいて、前記被写体の合焦位置を決定するステップと、
フォーカスレンズを駆動するステップとを有し、
前記撮像手段が複数の画像を撮像して複数の前記ライトフィールドデータを生成する場合、前記合焦位置を決定するステップにおいて決定される前記合焦位置が各々の前記ライトフィールドデータの各々の前記リフォーカス範囲内となるように前記フォーカスレンズを複数の位置に駆動する
ことを特徴とする撮像装置の制御方法。
【請求項１０】
被写体の光学像を撮像し、画像処理によってリフォーカス範囲内でリフォーカス可能なライトフィールドデータを生成する撮像手段を含む撮像装置の制御方法をコンピュータに実行させるためのプログラムであって
前記撮像装置の制御方法は、
前記被写体の焦点状態を検出するステップと、
前記焦点状態を検出するステップにおける前記検出の結果に基づいて、前記被写体の合焦位置を決定するステップと、
フォーカスレンズを駆動するステップとを有し、
前記撮像手段が複数の画像を撮像して複数の前記ライトフィールドデータを生成する場合、前記合焦位置を決定するステップにおいて決定される前記合焦位置が各々の前記ライトフィールドデータの各々の前記リフォーカス範囲内となるように前記フォーカスレンズを複数の位置に駆動する
ことを特徴とするプログラム。
【請求項１１】
再構成された画像データを表示手段に表示するためのライブビューモードを有し、
前記少なくとも１つの処理手段は、前記合焦位置が決定される対象被写体を設定するための設定フレームを、再構成された前記画像データに重ねるように前記表示手段に表示する
ことを特徴とする請求項１に記載の撮像装置。
【請求項１２】
マイクロレンズアレイと、前記マイクロレンズアレイの１つのマイクロレンズに割り当てられた複数の画素とを含み、フォーカスレンズを含む撮像光学系を介して被写体の光学像を撮像し、リフォーカス範囲内でリフォーカス可能な画像データを取得する撮像手段と、
前記被写体の焦点状態を検出し、前記焦点状態の検出の結果に基づいて前記被写体の合焦位置を決定する少なくとも１つの処理手段と、
フォーカスレンズに機械的に接続され、前記フォーカスレンズを駆動する駆動手段と、
前記フォーカスレンズを駆動するように前記駆動手段を制御する制御手段とを備え、
前記撮像手段が複数の画像を撮像する場合に、前記制御手段は、前記少なくとも１つの処理手段によって決定された前記合焦位置が各々の前記画像データの各々の前記リフォーカス範囲内となるように前記フォーカスレンズを複数の位置に駆動させるように前記駆動手段を制御することを特徴とする撮像装置。
【請求項１３】
マイクロレンズアレイと、前記マイクロレンズアレイの１つのマイクロレンズに割り当てられた複数の画素とを含み、フォーカスレンズを含む撮像光学系を介して被写体の光学像を撮像し、リフォーカス範囲内でリフォーカス可能な画像データを取得する撮像手段を含む撮像装置の制御方法であって、
前記被写体の焦点状態を検出するステップと、
前記焦点状態を検出するステップにおける検出の結果に基づいて、前記被写体の合焦位置を決定するステップと、
フォーカスレンズを駆動するステップとを有し、
前記撮像手段が複数の画像を撮像する場合に、前記合焦位置を決定するステップにおいて決定された前記合焦位置が各々の前記画像データの各々の前記リフォーカス範囲内となるように前記フォーカスレンズを複数の位置に駆動する
ことを特徴とする撮像装置の制御方法。
【請求項１４】
マイクロレンズアレイと、前記マイクロレンズアレイの１つのマイクロレンズに割り当てられた複数の画素とを含み、フォーカスレンズを含む撮像光学系を介して被写体の光学像を撮像し、リフォーカス範囲内でリフォーカス可能な画像データを取得する撮像手段を含む撮像装置の制御方法を実行させるためのプログラムであって、
前記撮像装置の制御方法は、
前記被写体の焦点状態を検出するステップと、
前記焦点状態を検出するステップにおける検出の結果に基づいて、前記被写体の合焦位置を決定するステップと、
フォーカスレンズを駆動するステップとを有し、
前記撮像手段が複数の画像を撮像する場合に、前記合焦位置を決定するステップにおいて決定された前記合焦位置が各々の前記画像データの各々の前記リフォーカス範囲内となるように前記フォーカスレンズを複数の位置に駆動する
ことを特徴とするプログラム。
【手続補正２】
【補正対象書類名】明細書
【補正対象項目名】０００９
【補正方法】変更
【補正の内容】
【０００９】
実施形態の一観点によれば、被写体の光学像を撮像し、画像処理によってリフォーカス範囲内でリフォーカス可能なライトフィールドデータを生成する撮像手段と、前記被写体の焦点状態を検出し、前記焦点状態の検出の結果に基づいて前記被写体の前記光学像の合焦位置を決定する少なくとも１つの処理手段と、フォーカスレンズに機械的に接続され、前記フォーカスレンズを駆動する駆動手段と、前記フォーカスレンズを駆動するように前記駆動手段を制御する制御手段とを備え、前記撮像手段が複数の画像を撮像して複数の前記ライトフィールドデータを生成する場合に、前記制御手段は、決定された前記合焦位置が各々の前記ライトフィールドデータの各々の前記リフォーカス範囲内となるように前記フォーカスレンズを複数の位置に駆動させるように前記駆動手段を制御することを特徴とする撮像装置が提供される。